(57)【要約】【課題】洗浄水タンク装置を壁の裏側領域内に隠蔽して確実に固定することができると共に、水洗大便器を壁に確実に固定することができる壁掛式便器用取付装置を提供する。【解決手段】本発明の壁掛式便器用取付装置１は、壁部の裏側領域内に隠蔽された洗浄水タンク装置４及び固定ユニット６を有し、この固定ユニットは、支持部１０，１２と、便器固定部１６と、左右一対の脚部１８，２０と、排水管接続部２６と、を備え、一対の脚部は、便器本体８が便器固定部に固定された状態において、立面視で排水管接続部よりも外側且つ便器本体の側壁８ｂよりも内側に配置されており、且つ、排水管接続部の中心Ｏ１を通過して固定ユニットを左右方向に二等分する中心軸線Ａ１に対して互いに左右非対称に配置されている。【選択図】図４
2018123667.tif 000002
【特許請求の範囲】
【請求項１】
温水洗浄機能部を備えた水洗大便器の背面側を壁部に取り付け可能にする壁掛式便器用取付装置であって、
上記壁部の裏側領域内に隠蔽されて上記水洗大便器に洗浄水を供給する洗浄水タンク装置と、
上記壁部の裏側領域内に隠蔽されて上記洗浄水タンク装置を固定すると共に上記水洗大便器の便器本体の後端部を上記壁部に固定する固定ユニットと、を有し、
この固定ユニットは、上記洗浄水タンク装置の左右両側に上下方向に延びるように設けられて上記洗浄水タンク装置を支持する左右一対の支持部と、
この左右一対の支持部同士を接続するように左右方向に延びるように設けられて上記便器本体の後端部が上記壁部を介して固定される便器固定部と、
この便器固定部から下方に延びて上記壁部の裏側領域内の床面に固定される左右一対の脚部と、
上記壁部の裏側領域内の床面から上記便器固定部に近接するように延びた排水管の流入口と上記便器本体の後方側の排出口とを上記壁部を介して接続可能に、上記便器固定部に設けられた排水管接続部と、を備えており、
上記便器固定部は、上記壁部の裏側領域内の床面と上記支持部の上端との中間位置よりも下方に位置し、
上記一対の脚部は、上記便器本体が上記便器固定部に固定された状態において、立面視で上記排水管接続部よりも外側且つ上記便器本体の側壁よりも内側に配置されており、且つ、上記排水管接続部の中心を通過して上記固定ユニットを左右方向に二等分する中心軸線に対して互いに左右非対称に配置されており、
上記一対の脚部の各前端面は、上記水洗大便器の使用時に上記便器本体の背面から上記壁部を介して上記脚部に向かって作用する荷重を受ける荷重受け面となることを特徴とする壁掛式便器用取付装置。
【請求項２】
さらに、上記壁部の裏側領域内に隠蔽可能に設けられて、給水源から供給された洗浄水を上記洗浄水タンク装置及び上記温水洗浄機能部のそれぞれに給水可能な給水本管と、この給水本管と上記温水洗浄機能部から延びる温水洗浄用給水管とを接続する接続部に設けられた止水栓と、を有し、
この止水栓は、上記一対の脚部のいずれか一方に取り付けられて、この止水栓の前端が上記壁部の表側からアクセス可能に上記床面と上記便器本体の下端との間の高さ位置に配置されている請求項１記載の壁掛式便器用取付装置。
【請求項３】
さらに、上記水洗大便器又は上記洗浄水タンク装置に設けられた電装部品と、上記壁部の裏側領域内に隠蔽可能に設けられて、上記電装部品に電力を供給する給電部が接続される給電接続部と、を有し、
この給電接続部は、上記一対の脚部のいずれか一方の脚部の外側近傍に配置されている請求項１又は２に記載の壁掛式便器用取付装置。
【請求項４】
上記一対の脚部は、第１脚部と、第２脚部と、からなり、
上記固定ユニットを左右方向に二等分する中心軸線から上記第１脚部までの第１距離は、上記中心軸線から上記第２脚部までの第２距離よりも大きく設定されており、
上記止水栓は、上記第１脚部に取り付けられている請求項２記載の壁掛式便器用取付装置。
【請求項５】
さらに、上記水洗大便器又は上記洗浄水タンク装置に設けられた電装部品と、上記壁部の裏側領域内に隠蔽可能に設けられて、上記電装部品に電力を供給する給電部が接続される給電接続部と、を有し、
この給電接続部は、上記止水栓と共に上記第１脚部の内側に配置されている請求項４記載の壁掛式便器用取付装置。
【請求項６】
上記給電接続部は、上記止水栓に対してほぼ鉛直方向の上方に且つ上記排水管の流入口の下端よりも上方に配置されている請求項５記載の壁掛式便器用取付装置。
【請求項７】
上記中心軸線から上記止水栓までの左右水平方向の距離は、８０ｍｍ〜９５ｍｍに設定されている請求項４記載の壁掛式便器用取付装置。
【請求項８】
上記床面から上記止水栓までの鉛直方向の距離は、３０ｍｍ〜１５７ｍｍに設定されている請求項４又は７に記載の壁掛式便器用取付装置。
【請求項９】
上記床面から上記脚部の荷重受け面の最低位置までの鉛直方向の距離は、５５ｍｍ〜１８２ｍｍに設定されている請求項１乃至８の何れか１項に記載の壁掛式便器用取付装置。
【請求項１０】
上記請求項１乃至９の何れか１項に記載の壁掛式便器用取付装置と、この壁掛式便器用取付装置に上記壁部を介して取り付けられた上記水洗大便器と、を備えたことを特徴とするトイレシステム。
【発明の詳細な説明】
【技術分野】
【０００１】
本発明は、壁掛式便器用取付装置、及び、トイレシステムに係り、特に、温水洗浄機能部を備えた水洗大便器の背面側を壁部に取り付け可能にする壁掛式便器用取付装置、及び、トイレシステムに関する。
【背景技術】
【０００２】
従来から、温水洗浄機能部を備えた水洗大便器には、その背面側を壁部に取り付けるタイプである、いわゆる、「壁掛式の便器」がある。このような壁掛式の便器で温水洗浄機能部を備えたものについては、例えば、特許文献１、２に記載されているような壁掛式便器用取付装置を用いて便器の背面側が壁部に固定されている。
図８は、従来の壁掛式便器用取付装置を示す概略図である。
図８に示すように、上述した特許文献１、２に記載されている従来の壁掛式便器用取付装置２００においては、壁Ｗ２０１の裏側領域Ｒ２０１内に隠蔽されて水洗大便器２０２に洗浄水を供給する洗浄水タンク装置２０４を備えている。
なお、図８では、水洗大便器２０２の後端と壁掛式便器用取付装置２００との間に設けられた壁Ｗ２０１については、部分的に省略している。
【０００３】
つぎに、図８に示すように、従来の取付装置２００は、壁Ｗ２０１の裏側領域Ｒ２０１内に設けられて、洗浄水タンク装置２０２を固定すると共に水洗大便器２０２の便器本体２０６の後端部を壁Ｗ２０１に固定する支柱２０８を備えている。この支柱２０８は、洗浄水タンク装置２０２の左右両側に上下方向に延びるように設けられて洗浄水タンク装置２０２を支持している。また、各支柱２０８の下方部分は、裏側領域内の床面Ｆ２０１に固定される脚部２１０となっている。
また、図８に示すように、従来の取付装置２００は、左右一対の支柱２０８同士を連結するように設けられて左右方向に延びる金属製の便器固定板２１２を備えている。この便器固定板２１２には、便器本体２０６の後端部が壁Ｗ２０１を介して固定されるようになっている。
さらに、図８に示すように、便器固定板２１２の下方には、左右一対の支柱２０８同士を連結するように左右方向に延びる横フレーム２１４が設けられている。この横フレーム２１４の上端には、壁Ｗ２０１の裏側領域Ｒ２０１内の床面Ｆ２０１から上方に延びた排水管２１６の流入口２１６ａと便器本体２０６の後方側の排出口２０６ａとを壁Ｗ２０１を介して接続可能にする排水管接続部２１８が設けられている。
【０００４】
つぎに、図８に示すように、従来の取付装置２００では、便器固定板２１２の鉛直方向の位置が、床面Ｆ２０１と支柱２０８の上端とのほぼ中間位置付近に位置している。
また、図８に示すように、従来の取付装置２００では、便器本体２０６が便器固定板２１２に固定された状態において、一対の脚部２１０が、立面視で便器本体２０６の側壁２０６ｂよりも外側に配置されている。
さらに、図８に示すように、従来の取付装置２００では、一対の脚部２１０が、立面視で排水管接続部２１８の中心Ｏ２０１を通過して支柱２０８の左右方向の間を二等分する中心軸線Ａ２０１に対して互いに左右対称に配置されている。
【０００５】
つぎに、図８に示すように、従来の取付装置２００では、横フレーム２１４の前端面が水洗大便器２０２の使用時に便器本体２０６の背面から壁部を介して横フレーム２１４に向かって作用する荷重を受ける荷重受け面Ｓ２０１を形成している。
また、図８に示すように、従来の取付装置２００では、横フレーム２１４の荷重受け面Ｓ２０１の鉛直方向の位置が、便器本体２０６の下端よりも上方に設定されている。
【先行技術文献】
【特許文献】
【０００６】
【特許文献１】欧州特許出願公開第２５６８０８９号明細書
【特許文献２】欧州特許出願公開第２７７０１２５号明細書
【発明の概要】
【発明が解決しようとする課題】
【０００７】
しかしながら、図８に示すように、従来の取付装置２００では、床面Ｆ２０１から横フレーム２１４の荷重受け面Ｓ２０１の最低位置までの鉛直方向の距離Ｈ２０１が、床面Ｆ２０１から便器固定板２１２の下端までの鉛直方向の距離Ｈ２０２の１／３よりも大きく設定されており、比較的距離が大きく設定されている。
また、図８に示すように、従来の取付装置２００では、両側の脚部２１０が立面視で便器本体２０６の側壁２０６ｂよりも外側に配置されているため、水洗大便器２０２の使用時に便器本体２０６の背面から壁部を介して横フレーム２１４の荷重受け面Ｓ２０１に荷重が作用したときに、横フレーム２１４やその両側の脚部２１０が変形する量も大きくなり、取付装置２００全体が傾いてしまうという問題がある。
したがって、洗浄水タンク装置２０４を壁Ｗ２０１の裏側領域Ｒ２０１内に隠蔽して確実に固定することが難しくなり、水洗大便器２０２の便器本体２０６の後端部を壁Ｗ２０１に確実に固定することも難しくなるという問題がある。
よって、壁掛式便器用取付装置においては、前後方向の奥行寸法を抑えつつ、いかに、洗浄水タンク装置を壁の裏側領域内に隠蔽して確実に固定し、壁掛式便器を壁に確実に固定するかが、近年要請された課題となっている。
【０００８】
一方、近年における温水洗浄機能部を備えた水洗大便器の海外市場へのグローバル化に伴って、トイレシステム全体や便器周辺部等に関するデザイン面についても様々なニーズがあり、多様化している。
特に、水洗大便器の温水洗浄機能部や洗浄水タンク装置に給水する設備や給電する設備等は、壁掛式便器用取付装置の周辺に設けられるが、これらの周辺設備についても、いかに外部から見え難い設計にしつつ、メンテナンス性を確保するかが、近年要請された課題となっている。
【０００９】
そこで、本発明は、上述した従来技術の問題や近年要請された課題を解決するためになされたものであり、洗浄水タンク装置を壁の裏側領域内に隠蔽して確実に固定することができると共に、水洗大便器を壁に確実に固定することができる壁掛式便器用取付装置、及び、トイレシステムを提供することを目的としている。
【課題を解決するための手段】
【００１０】
上述した課題を解決するために、本発明は、温水洗浄機能部を備えた水洗大便器の背面側を壁部に取り付け可能にする壁掛式便器用取付装置であって、上記壁部の裏側領域内に隠蔽されて上記水洗大便器に洗浄水を供給する洗浄水タンク装置と、上記壁部の裏側領域内に隠蔽されて上記洗浄水タンク装置を固定すると共に上記水洗大便器の便器本体の後端部を上記壁部に固定する固定ユニットと、を有し、この固定ユニットは、上記洗浄水タンク装置の左右両側に上下方向に延びるように設けられて上記洗浄水タンク装置を支持する左右一対の支持部と、この左右一対の支持部同士を接続するように左右方向に延びるように設けられて上記便器本体の後端部が上記壁部を介して固定される便器固定部と、この便器固定部から下方に延びて上記壁部の裏側領域内の床面に固定される左右一対の脚部と、上記壁部の裏側領域内の床面から上記便器固定部に近接するように延びた排水管の流入口と上記便器本体の後方側の排出口とを上記壁部を介して接続可能に、上記便器固定部に設けられた排水管接続部と、を備えており、上記便器固定部は、上記壁部の裏側領域内の床面と上記支持部の上端との中間位置よりも下方に位置し、上記一対の脚部は、上記便器本体が上記便器固定部に固定された状態において、立面視で上記排水管接続部よりも外側且つ上記便器本体の側壁よりも内側に配置されており、且つ、上記排水管接続部の中心を通過して上記固定ユニットを左右方向に二等分する中心軸線に対して互いに左右非対称に配置されており、上記一対の脚部の各前端面は、上記水洗大便器の使用時に上記便器本体の背面から上記壁部を介して上記脚部に向かって作用する荷重を受ける荷重受け面となることを特徴としている。
このように構成された本発明においては、便器固定部が壁部の裏側領域内の床面と支持部の上端との中間位置よりも下方に位置している。
また、便器本体が便器固定部に固定された状態における一対の脚部が、立面視で排水管接続部よりも外側且つ便器本体の側壁よりも内側に配置されている。加えて、一対の脚部の各前端面は、水洗大便器の使用時に便器本体の背面から壁部を介して脚部に向かって作用する荷重を受ける荷重受け面となる。
これらにより、脚部が立面視で便器本体の側壁よりも外側に配置されている場合に比べて、脚部の荷重受け面を小さい範囲に限定することができる。よって、便器本体の背面から壁部を介して脚部に向かって作用する荷重によって、壁掛式便器用取付装置全体が撓む等の変形量を抑制することができる。
したがって、固定ユニットにより、洗浄水タンク装置を壁部の裏側領域内に隠蔽して確実に固定することができると共に、水洗大便器の便器本体の後端部を壁部に確実に固定することができる。
さらに、一対の脚部が、排水管接続部の中心を通過して固定ユニットを左右方向に二等分する中心軸線に対して互いに左右非対称に配置されている。
これにより、壁部の裏側領域内で固定ユニットの脚部について、立面視で排水管接続部よりも外側且つ便器本体の側壁よりも内側の領域内で自由に位置決めすることができる。よって、例えば、水洗大便器の温水洗浄機能部や洗浄水タンク装置に給水する設備や給電する設備等を脚部周辺に自由に位置決めすることができ、設計の自由度を高めることができる。
【００１１】
本発明において、好ましくは、さらに、上記壁部の裏側領域内に隠蔽可能に設けられて、給水源から供給された洗浄水を上記洗浄水タンク装置及び上記温水洗浄機能部のそれぞれに給水可能な給水本管と、この給水本管と上記温水洗浄機能部から延びる温水洗浄用給水管とを接続する接続部に設けられた止水栓と、を有し、
この止水栓は、上記一対の脚部のいずれか一方に取り付けられて、この止水栓の前端が上記壁部の表側からアクセス可能に上記床面と上記便器本体の下端との間の高さ位置に配置されている。
このように構成された本発明においては、止水栓が一対の脚部のいずれか一方に取り付けられており、この止水栓の前端が壁部の表側からアクセス可能に床面と便器本体の下端との間の高さ位置に配置されているため、壁部の裏側領域内に止水栓の設置空間を確保することができると共に、止水栓を外部から見え難い位置に配置することができる。
また、緊急時や通常時のメンテナンスにおいて止水操作を行う際にも、止水栓の前端に容易にアクセスすることができるため、止水操作を容易に行うことができる。
さらに、便器本体の形状に関わらず、止水栓の前端以外の大半部分を壁部で隠蔽することができるため、便器本体の形状の制約を受け難くすることができる。
よって、様々なデザインの便器本体にも対応することができる。
【００１２】
本発明において、好ましくは、さらに、上記水洗大便器又は上記洗浄水タンク装置に設けられた電装部品と、上記壁部の裏側領域内に隠蔽可能に設けられて、上記電装部品に電力を供給する給電部が接続される給電接続部と、この給電接続部は、上記一対の脚部のいずれか一方の脚部の外側近傍に配置されている。
このように構成された本発明においては、給電接続部が一対の脚部のいずれか一方の脚部の外側近傍に配置されているため、壁部の裏側領域内に給電接続部の設置空間を確保することができると共に、給電接続部を外部から見え難い位置に配置することができる。
また、便器本体の形状に関わらず、給電接続部を壁部で隠蔽することができるため、便器本体の形状の制約を受け難くすることができる。
よって、様々なデザインの便器本体にも対応することができる。
【００１３】
本発明は、好ましくは、上記一対の脚部は、第１脚部と、第２脚部と、からなり、上記固定ユニットを左右方向に二等分する中心軸線から上記第１脚部までの第１距離は、上記中心軸線から上記第２脚部までの第２距離よりも大きく設定されており、上記止水栓は、上記第１脚部に取り付けられている。
このように構成された本発明においては、壁部の裏側領域内に隠蔽する止水栓の設置空間を確保することができると共に、止水栓を壁部の表側から見え難い位置に配置することができる。
また、緊急時や通常時のメンテナンスにおいて壁部の表側から止水操作が行い易い位置に止水栓を配置することができる。
【００１４】
本発明は、好ましくは、さらに、上記水洗大便器又は上記洗浄水タンク装置に設けられた電装部品と、上記壁部の裏側領域内に隠蔽可能に設けられて、上記電装部品に電力を供給する給電部が接続される給電接続部と、を有し、この給電接続部は、上記止水栓と共に上記第１脚部の内側に配置されている。
このように構成された本発明においては、固定ユニットを左右方向に二等分する中心軸線から第１脚部までの第１距離が、固定ユニットを左右方向に二等分する中心軸線から第２脚部までの第２距離よりも大きく設定されていることにより、第１脚部の内側には、第２脚部の内側よりも広い空間が形成されている。
したがって、このような第１脚部の内側に形成された空間を給電接続部や止水栓の設置空間として有効利用することにより、給電接続部及び止水栓のそれぞれについて、壁部の表側から見え難い位置に配置することができる。
また、便器本体の後端部が固定ユニットにより壁部に固定された状態では、給電接続部及び止水栓のそれぞれが便器本体の中央側に配置されることになるため、様々な形態の便器本体を適用したとしても、これらの給電接続部及び止水栓を便器本体の横幅内に確実に隠蔽することができる。
【００１５】
本発明は、好ましくは、上記給電接続部は、上記止水栓に対してほぼ鉛直方向の上方に且つ上記排水管の流入口の下端よりも上方に配置されている。
このように構成された本発明においては、給電接続部が、止水栓に対してほぼ鉛直方向の上方に且つ排水管の流入口の下端よりも上方に配置されていることにより、止水栓から給電接続部までの上下方向の空間を十分に確保することができる。
したがって、例えば、排水管の下流側の配管の位置等の設置状況により、排水管を上下方向に延びた姿勢で設置する配管（いわゆる、「縦引き配管」）よりも、排水管を上下方向に対して傾いた姿勢で設置する配管（いわゆる、「横引き配管」）が好ましい状況であっても、排水管を止水栓と給電接続部との間の空間に適切に配置することができる。
よって、排水管の下流側の配管設置に応じて、縦引き配管や横引き配管を適宜選択することができるため、様々な設置場所にも多様に適用することができる。
また、給電接続部が、止水栓と共に第１脚部の内側に配置されていると共に、止水栓に対してほぼ鉛直方向上方に配置されていることにより、給電接続部及び止水栓を第１脚部の内側に取り付ける作業を行う際に、給電接続部及び止水栓の一方を第１脚部の内側に一旦取り付けると、他方も第１脚部の内側に容易に位置決めして取り付けることができるため、作業性を向上させることができる。
【００１６】
本発明は、好ましくは、上記中心軸線から上記止水栓までの左右水平方向の距離は、８０ｍｍ〜９５ｍｍに設定されている。
このように構成された本発明においては、壁部の裏側領域内に隠蔽する止水栓の設置空間を確保することができると共に、止水栓を壁部の表側から見え難い位置に配置することができる。
また、緊急時や通常時のメンテナンスにおいて壁部の表側から止水操作が行い易い位置に止水栓を配置することができる。
【００１７】
本発明は、好ましくは、上記床面から上記止水栓までの鉛直方向の距離は、３０ｍｍ〜１５７ｍｍに設定されている。
このように構成された本発明においては、壁部の裏側領域内に隠蔽する止水栓の設置空間を確保することができると共に、止水栓を壁部の表側から見え難い位置に配置することができる。
また、緊急時や通常時のメンテナンスにおいて壁部の表側から止水操作が行い易い位置に止水栓を配置することができる。
【００１８】
本発明は、好ましくは、上記床面から上記脚部の荷重受け面の最低位置までの鉛直方向の距離は、５５ｍｍ〜１８２ｍｍに設定されている。
このように構成された本発明においては、脚部の荷重受け面と床面との鉛直方向の距離を比較的小さく設定することができるため、水洗大便器の使用時に便器本体の背面から壁部を介して脚部の荷重受け面に荷重が作用しても、これらの脚部及びその前側の壁部の変形量を抑制することができる。
【００１９】
また、本発明は、上記壁掛式便器用取付装置と、この壁掛式便器用取付装置に上記壁部を介して取り付けられた上記水洗大便器と、を備えたことを特徴とするトイレシステムである。
このように構成された本発明においては、壁掛式便器用取付装置により、洗浄水タンク装置が壁部の裏側領域内に隠蔽して確実に固定されると共に、水洗大便器が壁部に確実に固定されたトイレシステムを提供することができる。
【発明の効果】
【００２０】
本発明の壁掛式便器用取付装置によれば、洗浄水タンク装置を壁の裏側領域内に隠蔽して確実に固定することができると共に、水洗大便器を壁に確実に固定することができる。
【図面の簡単な説明】
【００２１】
【図１】本発明の第１実施形態による壁掛式便器用取付装置、及び、この壁掛式便器用取付装置に壁を介して取り付けられた水洗大便器を示す概略分解斜視図である。
【図２】本発明の第１実施形態による壁掛式便器用取付装置及び壁の背面図である。
【図３】本発明の第１実施形態による壁掛式便器用取付装置、及び、この壁掛式便器用取付装置に壁を介して取り付けられた水洗大便器を示す左側面図である。
【図４】本発明の第１実施形態による壁掛式便器用取付装置の正面図である。
【図５】図４に示す本発明の第１実施形態による壁掛式便器用取付装置の下方部分を拡大した部分拡大正面図である。
【図６】本発明の第２実施形態による壁掛式便器用取付装置及び壁の背面図である。
【図７】本発明の第２実施形態による壁掛式便器用取付装置の正面図である。
【図８】従来の壁掛式便器用取付装置を示す概略図である。
【発明を実施するための形態】
【００２２】
以下、図１〜図５を参照して、本発明の第１実施形態による壁掛式便器用取付装置について説明する。
まず、図１は、本発明の第１実施形態による壁掛式便器用取付装置、及び、この壁掛式便器用取付装置に壁を介して取り付けられた水洗大便器を示す概略分解斜視図である。
つぎに、図２は、本発明の第１実施形態による壁掛式便器用取付装置及び壁の背面図である。
また、図３は、本発明の第１実施形態による壁掛式便器用取付装置、及び、この壁掛式便器用取付装置に壁を介して取り付けられた水洗大便器を示す左側面図である。
さらに、図４は、本発明の第１実施形態による壁掛式便器用取付装置の正面図である。
ここで、図４に示す壁掛式便器用取付装置においては、取り付けられる水洗大便器の便器本体の外形を鎖線で示している。
【００２３】
まず、図１に示すように、本発明の第１実施形態による壁掛式便器用取付装置１は、トイレシステムＴの一部であり、温水洗浄機能付き便座ユニットＡを備えた壁掛式の水洗大便器２の背面側についてトイレ室の壁部（壁Ｗ１）に取り付け可能にするものである。
具体的には、図１に示すように、本実施形態の壁掛式便器用取付装置１は、壁Ｗ１の裏側領域Ｒ１内に洗浄水タンク装置４及び固定ユニット６をそれぞれ備えている。
まず、図１〜図４に示すように、取付装置１の洗浄水タンク装置４は、壁Ｗ１の裏側領域Ｒ１内に隠蔽可能に設けられた重力給水式の貯水タンク４ａを備えており、この貯水タンク４ａ内の洗浄水について重力を利用して水洗大便器２に洗浄水を供給するものである。
なお、洗浄水タンク装置４の貯水タンク４ａの内部構造の詳細については、説明を省略するが、代表的には、貯水タンク４ａ内に給水する給水装置（図示せず）が設けられていると共に、貯水タンク４ａの排水口（図示せず）を開閉する排水弁（図示せず）を電気的に駆動する電装部品を含む排水弁装置（図示せず）等が設けられている。これらの給水装置（図示せず）や排水弁装置（図示せず）による洗浄水タンク装置４における給排水操作については、例えば、洗浄水タンク装置４の前面に設けられた操作パネルＥ１のボタン操作等によって手動で操作し、このボタン操作に連動して、排水弁装置（図示せず）等が作動可能となっている。しかしながら、この操作パネルＥ１については、電気的な操作信号を送受信可能とする電装部品であってもよく、この操作パネルＥ１と洗浄水タンク装置４内の各電装部品（図示せず）との間で送受信される電気的な操作信号に基づいて排水弁装置（図示せず）等を電気的に作動可能とするものとしてもよい。
また、水洗大便器２については、その便器本体８内のボウル部（図示せず）の高さ方向の落差によりボウル部（図示せず）内の汚物を洗い落す、いわゆる、洗い落とし式の水洗大便器であってもよいし、サイホン作用を利用してボウル部（図示せず）内の汚物を吸い込んでトラップ排水路（図示せず）から外部に排出する、いわゆる、サイホン式便器の形態等、他の水洗大便器の形態であってもよい。
さらに、図１及び図３に示すように、水洗大便器２の温水洗浄機能付き便座ユニットＡは、電気的に作動する複数の電装部品（図示せず）を備えており、代表的には、局部洗浄用ノズル（図示せず）を含む温水洗浄機能部である温水洗浄機能装置２ａを備えている。
また、便座ユニットＡは、便器本体８の上面に設けられて便蓋２ｂによって覆われている便座２ｃを備えている。
【００２４】
つぎに、図１〜図４に示すように、取付装置１の固定ユニット６は、壁Ｗ１の裏側領域Ｒ１内に隠蔽可能に設けられており、洗浄水タンク装置４を固定すると共に水洗大便器２の便器本体８の後端を壁Ｗ１の表側面（前面）に固定するものである。
具体的には、図２〜図４に示すように、固定ユニット６は、正面側から見て、左右一対の縦フレーム（左縦フレーム１０及び右縦フレーム１２）、上横フレーム１４、便器固定用横フレーム１６、左右一対の脚フレーム１８，２０（左脚フレーム１８及び右脚フレーム２０）、左右の下横フレーム２２，２４（左下横フレーム２２及び右下横フレーム２４）、並びに、排水管接続部２６を備えている。
また、図２〜図４に示すように、固定ユニット６の左右一対の縦フレーム１０，１２は、洗浄水タンク装置４の貯水タンク４ａの左右両側に上下方向に延びるように設けられており、洗浄水タンク装置４を左右両側から支持する支持部となっている。なお、各縦フレーム１０，１２の下端は、床面Ｆ１よりも上方に位置しており、接地されていない。
さらに、図２及び図４に示すように、固定ユニット６の上横フレーム１４は、左右一対の縦フレーム１０，１２の上端同士を接続するように設けられている。
【００２５】
つぎに、図５は、図４に示す本発明の第１実施形態による壁掛式便器用取付装置の下方部分を拡大した部分拡大正面図である。
ここで、図４及び図５に示す壁掛式便器用取付装置１においては、便器本体８の外形を鎖線で示している。
図２、図４及び図５に示すように、固定ユニット６の便器固定用横フレーム１６は、その鉛直方向の位置が壁Ｗ１の裏側領域Ｒ１内の床面Ｆ１と両縦フレーム１０，１２の上端との鉛直方向の中間位置Ｍ１よりも下方に位置している。
そして、この便器固定用横フレーム１６は、左右一対の縦フレーム１０，１２同士を接続しており、便器本体８の後端部がＷ１を介して固定される便器固定部となっている。
より具体的には、図５に示すように、便器固定用横フレーム１６には、固定ユニット６を左右方向に二等分する中心軸線Ａ１に対して左右対称に２つずつ、合計４つの便器固定用のねじ穴１６ａ，１６ｂ，１６ｃ，１６ｄが形成されている。
また、便器本体８の後端部には、これらのねじ穴１６ａ，１６ｂ，１６ｃ，１６ｄのそれぞれに螺合する固定ボルト（図示せず）が取り付けられている。そして、各固定ボルト（図示せず）が、壁Ｗ１を介して各ねじ穴１６ａ，１６ｂ，１６ｃ，１６ｄに締結されて固定ナット（図示せず）によって締め付け可能になっている。これにより、便器本体８の後端部が壁Ｗ１を介して便器固定用横フレーム１６に固定されるようになっている。
さらに、図４及び図５に示すように、便器固定用横フレーム１６の左右方向のほぼ中央部には、貯水タンク４ａから下方に延びて便器本体８の背面の流入口（図示せず）に接続される接続管２８の出口部２８ａを保持する保持穴１６ｅが形成されている。
【００２６】
つぎに、図２及び図４に示すように、固定ユニット６の左右一対の脚フレーム１８，２０は、便器固定用横フレーム１６から下方に延びて壁Ｗ１の裏側領域Ｒ１内の床面Ｆ１に固定されている脚部である。
また、図２及び図４に示すように、固定ユニット６の左下横フレーム２２は、左脚フレーム１８とその外側の左縦フレーム１０の下端とを接続している。同様に、固定ユニット６の右下横フレーム２４は、右脚フレーム２０とその外側の右縦フレーム１２の下端とを接続している。
【００２７】
つぎに、図２〜図５に示すように、固定ユニット６の排水管接続部２６は、便器固定用横フレーム１６の下端に設けられている。この排水管接続部２６は、壁Ｗ１の裏側領域Ｒ１内の床面Ｆ１から便器固定用横フレーム１６の下端に近接するように延びた排水管３０の流入口３０ａと便器本体８の後方側の排出口８ａとを壁Ｗ１を介して接続可能にする。
【００２８】
つぎに、図５に示すように、一対の脚フレーム１８，２０は、便器本体８が便器固定用横フレーム１６に固定された状態において、立面視で排水管接続部２６よりも外側且つ便器本体８の側壁８ｂよりも内側に配置されている。
また、図４及び図５に示すように、一対の脚フレーム１８，２０は、立面視で排水管接続部２６の中心である排水管３０の流入口３０ａの中心Ｏ１を通過して固定ユニット６を左右方向に二等分する中心軸線Ａ１に対して互いに左右非対称に配置されている。
すなわち、図５に示すように、固定ユニット６の中心軸線Ａ１から左脚フレーム１８までの水平方向の距離Ｌ１は、この中心軸線Ａ１から右脚フレーム２０までの水平方向の距離Ｌ２よりも大きく設定（Ｌ１＞Ｌ２）されている。
【００２９】
さらに、図３に示すように、例えば、使用者が水洗大便器２の使用時に水洗大便器２の便座（図示せず）に座った場合、便器本体８の上面には、鉛直方向下方に向けて荷重Ｐ１が作用するようになっている。また、この荷重Ｐ１により、便器本体８の背面からその後方の壁Ｗ１を介して各脚フレーム１８，２０に向かって荷重Ｐ２が作用するようになっている。
よって、図３〜図５に示すように、一対の脚フレーム１８，２０の各前端面は、このような便器本体８の背面から作用する荷重Ｐ２を受ける荷重受け面Ｓ１，Ｓ２となっている。
また、図５に示すように、一対の脚フレーム１８，２０の各荷重受け面Ｓ１，Ｓ２の最低位置は、床面Ｆ１よりも上方の便器本体８の下端とほぼ同一の高さ位置に設定されている。
【００３０】
さらに、図５に示すように、床面Ｆ１から各脚フレーム１８，２０の各荷重受け面Ｓ１，Ｓ２の最低位置までの鉛直方向の距離Ｈ１については、５５ｍｍ〜１８２ｍｍに設定されているのが好ましく、距離Ｈ２については、３７０ｍｍ〜３９０ｍｍに設定されているのが好ましい。
【００３１】
つぎに、図２〜図５に示すように、本実施形態の壁掛式便器用取付装置１は、さらに、壁Ｗ１の裏側領域Ｒ１内に隠蔽可能に設けられた給水本管３２を備えている。この給水本管３２は、その上流側の水道等の給水源（図示せず）から供給された洗浄水について、洗浄水タンク装置４及び水洗大便器２の温水洗浄機能装置２ａのそれぞれに給水可能となっている。
また、取付装置１は、さらに、温水洗浄機能装置２ａから延びる温水洗浄用給水管３４と給水本管３２とを接続する接続部に設けられた止水栓３６を備えている。
この止水栓３６は、一対の脚フレーム１８，２０のうち、固定ユニット６の中心軸線Ａ１に対して右脚フレーム２０よりも遠位側に位置する左脚フレーム１８に取り付けられている。
さらに、図３〜図５に示すように、止水栓３６の前端は、壁Ｗ１の表側からアクセス可能に床面Ｆ１と便器本体８の下端８ｃとの間の高さ位置に配置されている。
【００３２】
つぎに、図２〜図５に示すように、本実施形態の壁掛式便器用取付装置１は、さらに、壁Ｗ１の裏側領域Ｒ１内に隠蔽可能に設けられた給電ケーブル３８を備えている。
この給電ケーブル３８は、その上端が洗浄水タンク装置４の内部の各電装部品（図示せず）に接続され、下端が温水洗浄機能付き便座ユニットＡの給電接続部４０に接続されている。
また、給電接続部４０の下方に隣接する壁Ｗ１の表面には、電源コンセント４２が配置されており、便座ユニットＡから延びる電源コード（図示せず）が電源コンセント４２に接続されるようになっている。
電源コンセント４２から電源コード（図示せず）を介して便座ユニットＡに供給された電力は、温水洗浄機能装置２ａ等に供給される他、給電接続部４０から給電ケーブル３８を介して洗浄水タンク装置４の各電装部品（図示せず）に供給されるようになっている。
また、図２〜図５に示すように、本実施形態では、給電ケーブル３８の下端及び給電接続部４０、並びに、電源コンセント４２は、右脚フレーム２０外側近傍に配置されている。
しかしながら、これらの給電接続部４０及び電源コンセント４２は、便器本体８の後端部が壁Ｗ１に固定された状態では、便器本体８の右側面よりも内側に隠蔽されるため、外部から見え難い位置に配置されるようになっている。
【００３３】
ちなみに、図５に示すように、立面視における固定ユニット６の中心軸線Ａ１から止水栓３６までの左右水平方向の距離Ｌ３は、８０ｍｍ〜９５ｍｍに設定されている。
また、図５に示すように、床面Ｆ１から止水栓３６までの鉛直方向の距離Ｈ３は、３０ｍｍ〜１５７ｍｍに設定されている。
【００３４】
上述した本発明の第１実施形態による壁掛式便器用取付装置１によれば、固定ユニット６の便器固定用横フレーム１６の鉛直方向の位置が、壁Ｗ１の裏側領域Ｒ１内の床面Ｆ１と両縦フレーム１０，１２の上端との鉛直方向の中間位置Ｍ１よりも下方に位置している。
また、便器本体８が便器固定用横フレーム１６に固定された状態における一対の脚フレーム１８，２０が、立面視で排水管接続部２６よりも外側且つ便器本体８の側壁８ｂよりも内側に配置されている。加えて、一対の脚フレーム１８，２０の各前端面は、水洗大便器２の使用時に便器本体８の背面から壁Ｗ１を介して脚フレーム１８，２０に向かって作用する荷重Ｐ２を受ける荷重受け面Ｓ１，Ｓ２となる。
これらにより、各脚フレーム１８，２０が立面視で便器本体８の側壁８ｂよりも外側に配置されている場合に比べて、各脚フレーム１８，２０の荷重受け面Ｓ１，Ｓ２を小さい範囲に限定することができる。よって、便器本体８の背面から壁Ｗ１を介して各脚フレーム１８，２０に向かって作用する荷重Ｐ２によって、壁掛式便器用取付装置１の全体が撓む等の変形量を抑制することができる。
したがって、固定ユニット６により、洗浄水タンク装置４を壁Ｗ１の裏側領域Ｒ１内に隠蔽して確実に固定することができると共に、水洗大便器２の便器本体８の後端部を壁Ｗ１に確実に固定することができる。
さらに、一対の脚フレーム１８，２０が、排水管３０の流入口３０ａの中心Ｏ１を通過して固定ユニット６を左右方向に二等分する中心軸線Ａ１に対して互いに左右非対称に配置されている。
これにより、壁Ｗ１の裏側領域Ｒ１内で固定ユニット６の一対の脚フレーム１８，２０について、立面視で排水管接続部２６及び排水管３０よりも外側且つ便器本体８の側壁８ｂよりも内側の領域内で自由に位置決めすることができる。
よって、例えば、水洗大便器２の温水洗浄機能装置２ａや洗浄水タンク装置４に給水する設備や給電する設備等を脚フレーム１８，２０の周辺に位置決めすることができ、設計の自由度を高めることができる。
【００３５】
また、本実施形態による壁掛式便器用取付装置１によれば、止水栓３６が一対の脚フレーム１８，２０のうちの左脚フレーム１８に取り付けられており、この止水栓３６の前端が、壁Ｗ１の表側からアクセス可能に床面Ｆ１と便器本体８の下端８ｃとの間の高さ位置に配置されている。
これにより、壁Ｗ１の裏側領域Ｒ１内に止水栓３６の設置空間を確保することができると共に、止水栓３６を外部から見え難い位置に配置することができる。
また、緊急時や通常時のメンテナンスにおいて止水操作を行う際にも、止水栓３６の前端に容易にアクセスすることができるため、止水操作を容易に行うことができる。
さらに、便器本体８の形状に関わらず、止水栓３６の前端以外の大半部分を壁Ｗ１で隠蔽することができるため、便器本体８の形状の制約を受け難くすることができる。
よって、様々なデザインの便器本体８にも対応することができる。
【００３６】
さらに、本実施形態による壁掛式便器用取付装置１によれば、給電接続部４０や電源コンセント４２が一対の脚フレーム１８，２０のうちの右脚フレーム２０の外側近傍に配置されているため、壁Ｗ１の裏側領域Ｒ１内に給電接続部４０の設置空間を確保することができると共に、給電接続部４０や電源コンセント４２を外部から見え難い位置に配置することができる。
また、便器本体８の形状に関わらず、給電接続部４０や電源コンセント４２を壁Ｗ１や便器本体８で隠蔽することができるため、便器本体８の形状の制約を受け難くすることができる。
よって、様々なデザインの便器本体８にも対応することができる。
【００３７】
また、本実施形態による壁掛式便器用取付装置１によれば、固定ユニット６の中心軸線Ａ１から左脚フレーム１８までの水平方向の距離Ｌ１は、この中心軸線Ａ１から右脚フレーム２０までの水平方向の距離Ｌ２よりも大きく設定（Ｌ１＞Ｌ２）されている。また、止水栓３６が、固定ユニット６の中心軸線Ａ１に対して右脚フレーム２０よりも遠位側に位置する左脚フレーム１８に取り付けられている。
これらにより、壁Ｗ１の裏側領域Ｒ１内に隠蔽する止水栓３６の設置空間を確保することができると共に、止水栓３６を壁Ｗ１の表側から見え難い位置に配置することができる。
さらに、緊急時や通常時のメンテナンスにおいて壁Ｗ１の表側から止水操作が行い易い位置に止水栓３６を配置することができる。
【００３８】
さらに、本実施形態による壁掛式便器用取付装置１によれば、図５に示すように、立面視における固定ユニット６の中心軸線Ａ１から止水栓３６までの左右水平方向の距離Ｌ３は、８０ｍｍ〜９５ｍｍに設定されている。
したがって、壁Ｗ１の裏側領域Ｒ１内に隠蔽する止水栓３６の設置空間を確保することができると共に、止水栓３６を壁Ｗ１の表側から見え難い位置に配置することができる。
また、緊急時や通常時のメンテナンスにおいて壁Ｗ１の表側から止水操作が行い易い位置に止水栓３６を配置することができる。
【００３９】
また、本実施形態による壁掛式便器用取付装置１によれば、図５に示すように、床面Ｆ１から止水栓３６までの鉛直方向の距離Ｈ３は、３０ｍｍ〜１５７ｍｍに設定されている。
したがって、壁Ｗ１の裏側領域Ｒ１内に隠蔽する止水栓３６の設置空間を確保することができると共に、止水栓３６を壁Ｗ１の表側から見え難い位置に配置することができる。
また、緊急時や通常時のメンテナンスにおいて壁Ｗ１の表側から止水操作が行い易い位置に止水栓３６を配置することができる。
【００４０】
さらに、本実施形態による壁掛式便器用取付装置１によれば、床面Ｆ１から各脚フレーム１８，２０の荷重受け面Ｓ１，Ｓ２の最低位置までの鉛直方向の距離Ｈ１は、５５ｍｍ〜１８２ｍｍに設定されている。
したがって、各脚フレーム１８，２０の荷重受け面Ｓ１，Ｓ２と床面Ｆ１との鉛直方向の距離Ｈ１を比較的小さく設定することができるため、水洗大便器２の使用時に便器本体８の背面から壁Ｗ１を介して各脚フレーム１８，２０の荷重受け面Ｓ１，Ｓ２に荷重が作用しても、これらの脚フレーム１８，２０及びその前側の壁Ｗ１の変形量を抑制することができる。
【００４１】
また、本実施形態による壁掛式便器用取付装置１によれば、洗浄水タンク装置４が壁Ｗ１の裏側領域Ｒ１内に隠蔽して確実に固定されると共に、水洗大便器２が壁Ｗ１に確実に固定されたトイレシステムＴを提供することができる。
【００４２】
つぎに、図６及び図７を参照して、本発明の第２実施形態による壁掛式便器用取付装置について説明する。
図６は、本発明の第２実施形態による壁掛式便器用取付装置及び壁の背面図である。また、図７は、本発明の第２実施形態による壁掛式便器用取付装置の正面図である。
ここで、図６及び図７に示す本発明の第２実施形態による壁掛式便器用取付装置において、上述した本発明の第１実施形態による壁掛式便器用取付装置と同一部分については同一の符号を付し、これらの説明については省略する。
【００４３】
まず、図６及び図７に示すように、本発明の第２実施形態による壁掛式便器用取付装置１００においては、上述した第１実施形態による壁掛式便器用取付装置１と同様に、一対の脚フレーム１８，２０が、立面視で排水管接続部２６の中心である排水管３０の流入口３０ａの中心Ｏ１を通過して固定ユニット２０６を左右方向に二等分する中心軸線Ａ１に対して互いに左右非対称に配置されている。
そして、図７に示すように、本発明の第２実施形態による壁掛式便器用取付装置１００においては、上述した第１実施形態による壁掛式便器用取付装置１と同様に、固定ユニット２０６の中心軸線Ａ１から左脚フレーム１８（第１脚部）までの水平方向の距離Ｌ１が、この中心軸線Ａ１から右脚フレーム２０（第２脚部）までの水平方向の距離Ｌ２よりも大きく設定（Ｌ１＞Ｌ２）されている。
また、図７に鎖線で示す水洗大便器１０２（便器本体１０８）については、その後端部が固定ユニット２０６により壁Ｗ１に固定された状態では、便器本体１０８の水平左右方向の横幅が左脚フレーム１８との内縁と右脚フレーム２０の内縁との間の距離（Ｌ１＋Ｌ２）よりも大きく設定されている。
【００４４】
しかしながら、本実施形態による壁掛式便器用取付装置１００においては、給電ケーブル１３８の下端が接続される給電接続部１４０が、止水栓３６と共に第１脚部（左脚フレーム１８）の内側に配置されている構造であるため、上述した本発明の第１実施形態による壁掛式便器用取付装置１の給電ケーブル３８の下端及び給電接続部４０が右脚フレーム２０外側近傍に配置されている構造と異なっている。
また、図６及び図７に示すように、本実施形態による壁掛式便器用取付装置１００においては、給電接続部１４０の下方には、壁Ｗ１の裏側領域Ｒ１から便器本体１０８に延びた電源コード（図示せず）を取り出し可能にする電源コード取出口１４２が設けられている。
さらに、給電接続部１４０は、便座ユニットＡから延びた給電ケーブル（図示せず）と洗浄水タンク装置４から延びた給電ケーブル１３８とを接続可能にするコネクタ部材（図示せず）を備えている。これらの給電接続部１４０及び電源コード取出口１４２は、止水栓３６に対してほぼ鉛直方向の上方に配置されている。壁Ｗ１の裏側領域Ｒ１の電源コード（図示せず）から電源コード取出口１４２を介して便座ユニットＡに供給された電力は、温水洗浄機能装置１０２ａ等に供給される他、給電接続部１４０から給電ケーブル１３８を介して洗浄水タンク装置４の各電装部品（図示せず）等に供給されるようになっている。
また、図７に示すように、給電接続部１４０及び電源コード取出口１４２の各位置Ｑ１０１，Ｑ１０２は、排水管３０の流入口３０ａの下端位置Ｑ１０３よりも上方に位置している。
【００４５】
ここで、図６及び図７に示すように、本実施形態による壁掛式便器用取付装置１００における排水管３０については、上下方向に延びた姿勢で設置されている配管（いわゆる、「縦引き配管」）の形態で示している。
しかしながら、本実施形態による壁掛式便器用取付装置１００では、排水管３０の下流側の配管の位置等の設置状況によっては、図６及び図７に鎖線で概略的に示した排水管１３０のように、上下方向に対して傾いた姿勢で設置される配管（いわゆる、「横引き配管」）の形態でも適用可能である。
【００４６】
上述した本発明の第２実施形態による壁掛式便器用取付装置１００によれば、固定ユニット２０６の中心軸線Ａ１から左脚フレーム１８（第１脚部）までの水平方向の距離Ｌ１が、この中心軸線Ａ１から右脚フレーム２０（第２脚部）までの水平方向の距離Ｌ２よりも大きく設定（Ｌ１＞Ｌ２）されていることにより、左脚フレーム１８（第１脚部）の内側には、右脚フレーム２０（第２脚部）の内側よりも広い空間が形成されている。
したがって、このような左脚フレーム１８（第１脚部）の内側に形成された空間を給電接続部１４０や止水栓３６の設置空間として有効利用することにより、止水栓３６、給電接続部１４０、及び、電源コード取出口１４２のそれぞれについて、壁Ｗ１の表側から見え難い位置に配置することができる。
また、便器本体１０８の横幅が、左脚フレーム１８との内縁と右脚フレーム２０の内縁との間の距離（Ｌ１＋Ｌ２）よりも大きく設定されているため、便器本体１０８の後端部が固定ユニット２０６により壁Ｗ１に固定された状態では、止水栓３６、給電接続部１４０、及び、電源コード取出口１４２のそれぞれが便器本体１０８の中央側に配置されることになる。
したがって、様々な形態の便器本体１０８を適用したとしても、これらの止水栓３６、給電接続部１４０、及び、電源コード取出口１４２のそれぞれについて、便器本体１０８の横幅内（より厳密に説明すると、左脚フレーム１８との内縁と右脚フレーム２０の内縁との間の距離（Ｌ１＋Ｌ２）の範囲内）に確実に隠蔽することができる。
【００４７】
また、本発明の第２実施形態による壁掛式便器用取付装置１００によれば、給電接続部１４０及び電源コード取出口１４２が、止水栓３６に対してほぼ鉛直方向の上方に且つ排水管３０の流入口３０ａの下端よりも上方に配置されていることにより、止水栓３６から給電接続部１４０及び電源コード取出口１４２までの上下方向の空間を十分に確保することができる。
したがって、例えば、排水管３０の下流側の配管の位置等の設置状況により、排水管３０を上下方向に延びた姿勢で設置する配管（いわゆる、「縦引き配管」）よりも、排水管１３０を上下方向に対して傾いた姿勢で設置する配管（いわゆる、「横引き配管」）が好ましい状況であっても、排水管１３０を止水栓３６と給電接続部１４０及び電源コード取出口１４２との間の空間に適切に配置することができる。
よって、排水管３０，１３０の下流側の配管設置に応じて、縦引き配管（排水管３０）や横引き配管（排水管１３０）を適宜選択することができるため、様々な設置場所にも多様に適用することができる。
また、給電接続部１４０が、止水栓３６と共に左脚フレーム１８（第１脚部）の内側に配置されていると共に、止水栓３６に対してほぼ鉛直方向上方に配置されていることにより、給電接続部１４０及び止水栓３６を左脚フレーム１８（第１脚部）の内側に取り付ける作業を行う際に、給電接続部１４０及び止水栓３６の一方を左脚フレーム１８（第１脚部）の内側に一旦取り付けると、他方も左脚フレーム１８（第１脚部）の内側に容易に位置決めして取り付けることができるため、作業性を向上させることができる。
【符号の説明】
【００４８】
１        本発明の第１実施形態による壁掛式便器用取付装置
２        壁掛式の水洗大便器
２ａ      温水洗浄機能装置（温水洗浄機能部）
２ｂ      便蓋
２ｃ      便座
４        洗浄水タンク装置
４ａ      貯水タンク
６        固定ユニット
８        便器本体
８ａ      排出口
８ｂ      便器本体の側壁
８ｃ      便器本体の下端
１０        左縦フレーム（支持部）
１２        右縦フレーム（支持部）
１４        上横フレーム
１６        便器固定用横フレーム（便器固定部）
１６ａ      ねじ穴
１６ｂ      ねじ穴
１６ｃ      ねじ穴
１６ｄ      ねじ穴
１６ｅ      保持穴
１８        左脚フレーム（第１脚部）
２０        右脚フレーム（第２脚部）
２２        左下横フレーム
２４        右下横フレーム
２６        排水管接続部
２８        接続管
２８ａ      接続管の出口部
３０        排水管
３０ａ      流入口
３２        給水本管
３４        温水洗浄用給水管
３６        止水栓
３８        給電ケーブル
４０        給電接続部
４２        電源コンセント
１００        本発明の第２実施形態による壁掛式便器用取付装置
１０２        壁掛式の水洗大便器
１０８        便器本体
１３８        給電ケーブル
１４０        給電接続部
１４２        電源コード取出口
２００        従来の壁掛式便器用取付装置
２０２        水洗大便器
２０４        洗浄水タンク装置
２０６        便器本体
２０６ａ      便器本体の排出口
２０６ｂ      便器本体の側壁
２０８        支柱
２１０        脚部
２１２        便器固定板
２１４        横フレーム
２１６        排水管
２１６ａ      排水管の流入口
２１８        排水管接続部
Ａ        温水洗浄機能付き便座ユニット（電装部品）
Ａ１      固定ユニットを左右方向に二等分する中心軸線
Ａ２０１  支柱の左右方向の間を二等分する中心軸線
Ｅ１      操作パネル
Ｆ１      床面
Ｆ２０１  床面
Ｈ１      床面から脚フレームの荷重受け面の最低位置までの鉛直方向の距離
Ｈ２      床面から便器固定用横フレームの下端及び脚フレームの上端までの鉛直方向の距離
Ｈ３      床面から止水栓までの鉛直方向の距離
Ｈ２０１  床面から横フレームの荷重受け面の最低位置までの鉛直方向の距離
Ｈ２０２  床面から便器固定板の下端までの鉛直方向の距離
Ｌ１      距離（第１所定距離）
Ｌ２      距離（第２所定距離）
Ｌ３      距離
Ｍ１      床面と縦フレームの上端との鉛直方向の中間位置
Ｗ１      壁（壁部）
Ｗ２０１  壁
Ｏ１      排水管の流入口の中心（排水管接続部の中心）
Ｏ２０１  排水管接続部の中心
Ｐ１      荷重
Ｐ２      荷重
Ｑ１０１  給電接続部の位置
Ｑ１０２  電源コード取出口の位置
Ｑ１０３  排水管の流入口の下端位置
Ｒ１      壁の裏側領域
Ｒ２０１  壁の裏側領域
Ｓ１      荷重受け面
Ｓ２      荷重受け面
Ｓ２０１  横フレームの荷重受け面
Ｔ        トイレシステム
【図１】
2018123667.tif 000003
【図２】
2018123667.tif 000004
【図３】
2018123667.tif 000005
【図４】
2018123667.tif 000006
【図５】
2018123667.tif 000007
【図６】
2018123667.tif 000008
【図７】
2018123667.tif 000009
【図８】
2018123667.tif 000010